(57)【要約】【課題】  従来はスペクトラム拡散された著作権保護情報を再生するために逆拡散処理が必要なため、本来、ユーザーにとっては不必要な著作権保護情報の再生のために再生装置としては、コストが高くなってしまう。【解決手段】  ユーザーデータの再生時にはランレングス制限符号に対して、等化エラー抽出・係数更新回路１２からの係数が入力されてパーシャルレスポンス特性を付与して適応的に波形等化を行うためのトランスバーサルフィルタ６に、スペクトラム拡散されている著作権保護データの再生時には、プッシュプル信号ＰＰのサンプリングデータを入力すると共に、記録時と同じＰＮ係数をトランスバーサルフィルタ６の係数として与える。これにより、トランスバーサルフィルタ６を逆拡散処理を行う回路として利用する。【選択図】            図１
2006318517.tif 000002
【特許請求の範囲】
【請求項１】
ユーザーデータが記録された断面凸状又は凹状のピットを有すると共に、著作権保護データがウォーターマークとして前記ピットを微小に半径方向に蛇行した光記録媒体に対し、光ピックアップからレーザ光を照射し、これにより前記光記録媒体から反射される反射光を光電変換して得られる受光信号に基づいて、前記ユーザーデータ及び前記著作権保護データを再生する再生装置であって、
前記光ピックアップ内の分割受光器を構成する複数の分割受光素子のそれぞれにより、前記反射光を光電変換して得られた受光信号をすべて加算合成した総和信号と、前記複数の分割受光素子のうち所定の分割受光素子からの受光信号同士を演算し、前記半径方向の蛇行を検出した信号とが前記光ピックアップから入力され、前記総和信号と前記半径方向の蛇行を検出した信号のうち、前記ユーザーデータを再生する時は前記総和信号を選択し、前記著作権保護データを再生する時は前記半径方向の蛇行を検出した信号を選択する選択手段と、
前記選択手段から出力された信号をＡ／Ｄ変換して、ディジタルサンプリングデータを出力するＡ／Ｄ変換手段と、
前記Ａ／Ｄ変換手段から出力された前記ディジタルサンプリングデータを入力信号として受け、前記ユーザーデータを読み出すときは、前記総和信号に対応した前記ディジタルサンプリングデータをパーシャルレスポンス特性に等化し、前記著作権保護データを再生するときは、前記半径方向の蛇行を検出した信号に対応した前記ディジタルサンプリングデータに対して逆拡散処理を行うトランスバーサルフィルタと、
前記ユーザーデータを読み出すときは、前記トランスバーサルフィルタの出力信号に基づいて、ＬＭＳ（最小平均自乗）法等の予め定めたアルゴリズムに従って、仮判別した目標値との誤差が最小となるように、前記トランスバーサルフィルタの係数を適応的に変更し、前記著作権保護データを再生するときは、記録時と同じＰＮ係数を前記トランスバーサルフィルタの係数とする係数制御手段と、
前記著作権保護データを再生するときは、前記トランスバーサルフィルタの出力信号のうち、前記ＰＮ係数のコード長に対応した期間内のピーク値の出現時間間隔に基づいて、同期捕捉処理を行うと共に、その同期捕捉結果に基づいて前記トランスバーサルフィルタの入力ディジタルサンプリングデータのサンプリング位相を制御して同期保持処理を行う同期捕捉・同期保持手段と、
前記トランスバーサルフィルタの出力信号に対して復号処理を行う復号手段と
を有することを特徴とする再生装置。
【請求項２】
ユーザーデータが記録された断面凸状又は凹状のピットを有すると共に、著作権保護データがウォーターマークとして前記ピットを微小に半径方向に蛇行した光記録媒体に対し、光ピックアップからレーザ光を照射し、これにより前記光記録媒体から反射される反射光を光電変換して得られる受光信号に基づいて、前記ユーザーデータ及び前記著作権保護データを再生する再生装置であって、
前記光ピックアップ内の分割受光器を構成する複数の分割受光素子のそれぞれにより、前記反射光を光電変換して得られた受光信号をすべて加算合成した総和信号が前記光ピックアップから入力され、入力総和信号に対してＡ／Ｄ変換して、第１のディジタルサンプリングデータを出力する第１のＡ／Ｄ変換手段と、
前記複数の分割受光素子のうち所定の分割受光素子からの受光信号同士を演算し、前記光記録媒体の半径方向の蛇行を検出した信号が前記光ピックアップから入力され、前記光記録媒体の半径方向の蛇行を検出した信号に対してＡ／Ｄ変換して、第２のディジタルサンプリングデータを出力する第２のＡ／Ｄ変換手段と、
前記ユーザーデータを再生する時は前記第１のディジタルサンプリングデータを選択し、前記著作権保護データを再生する時は前記第２のディジタルサンプリングデータを選択する選択手段と、
前記選択手段から出力された前記第１又は第２のディジタルサンプリングデータを入力信号として受け、前記ユーザーデータを読み出すときは、前記第１のサンプリングデータをパーシャルレスポンス特性に等化し、前記著作権保護データを再生するときは、前記第２のディジタルサンプリングデータに対して逆拡散処理を行うトランスバーサルフィルタと、
前記ユーザーデータを読み出すときは、前記トランスバーサルフィルタの出力信号に基づいて、ＬＭＳ（最小平均自乗）法等の予め定めたアルゴリズムに従って、仮判別した目標値との誤差が最小となるように、前記トランスバーサルフィルタの係数を適応的に変更し、前記著作権保護データを再生するときは、記録時と同じＰＮ係数を前記トランスバーサルフィルタの係数とする係数制御手段と、
前記著作権保護データを再生するときは、前記トランスバーサルフィルタの出力信号のうち、前記ＰＮ係数のコード長に対応した期間内のピーク値の出現時間間隔に基づいて、同期捕捉処理を行うと共に、その同期捕捉結果に基づいて前記トランスバーサルフィルタの入力ディジタルサンプリングデータのサンプリング位相を制御して同期保持処理を行う同期捕捉・同期保持手段と、
前記トランスバーサルフィルタの出力信号に対して復号処理を行う復号手段と
を有することを特徴とする再生装置。
【請求項３】
ユーザーデータがランレングス制限規則に従ったランレングス制限符号とされて記録された断面凸状又は凹状のトラックを有すると共に、著作権保護データがウォーターマークとして重畳されたスペクトラム拡散符号であるウォブル信号に従って前記トラックの側壁が微小にトラック幅方向に蛇行された光記録媒体に対し、光ピックアップからレーザ光を照射し、これにより前記光記録媒体から反射される反射光を光電変換して得られる受光信号に基づいて、前記ユーザーデータ及び前記著作権保護データを再生する再生装置であって、
前記光ピックアップ内の分割受光器を構成する複数の分割受光素子のそれぞれにより、前記反射光を光電変換して得られた受光信号をすべて加算合成した総和信号と、前記複数の分割受光素子のうち所定の分割受光素子からの受光信号同士の差分信号であるプッシュプル信号とが前記光ピックアップから入力され、前記総和信号と前記プッシュプル信号のうち、前記ユーザーデータを再生する時は前記総和信号を選択し、前記著作権保護データを再生する時は前記プッシュプル信号を選択する選択手段と、
前記選択手段から出力された信号をＡ／Ｄ変換して、ディジタルサンプリングデータを出力するＡ／Ｄ変換手段と、
前記Ａ／Ｄ変換手段から出力された前記ディジタルサンプリングデータを入力信号として受け、前記ユーザーデータを読み出すときは、前記総和信号に対応した前記ディジタルサンプリングデータをパーシャルレスポンス特性に等化し、前記著作権保護データを再生するときは、前記プッシュプル信号に対応した前記ディジタルサンプリングデータに対して逆拡散処理を行うトランスバーサルフィルタと、
前記ユーザーデータを読み出すときは、前記トランスバーサルフィルタの出力信号に基づいて、ＬＭＳ（最小平均自乗）法等の予め定めたアルゴリズムに従って、仮判別した目標値との誤差が最小となるように、前記トランスバーサルフィルタの係数を適応的に変更し、前記著作権保護データを再生するときは、記録時と同じＰＮ係数を前記トランスバーサルフィルタの係数とする係数制御手段と、
前記著作権保護データを再生するときは、前記トランスバーサルフィルタの出力信号のうち、前記ＰＮ係数のコード長に対応した期間内のピーク値の出現時間間隔に基づいて、同期捕捉処理を行うと共に、その同期捕捉結果に基づいて前記トランスバーサルフィルタの入力ディジタルサンプリングデータのサンプリング位相を制御して同期保持処理を行う同期捕捉・同期保持手段と、
前記トランスバーサルフィルタの出力信号に対して復号処理を行う復号手段と
を有することを特徴とする再生装置。
【請求項４】
ユーザーデータがランレングス制限規則に従ったランレングス制限符号とされて記録された断面凸状又は凹状のトラックを有すると共に、著作権保護データがウォーターマークとして重畳されたスペクトラム拡散符号であるウォブル信号に従って前記トラックの側壁が微小にトラック幅方向に蛇行された光記録媒体に対し、光ピックアップからレーザ光を照射し、これにより前記光記録媒体から反射される反射光を光電変換して得られる受光信号に基づいて、前記ユーザーデータ及び前記著作権保護データを再生する再生装置であって、
前記光ピックアップ内の分割受光器を構成する複数の分割受光素子のそれぞれにより、前記反射光を光電変換して得られた受光信号をすべて加算合成した総和信号が前記光ピックアップから入力され、入力総和信号に対してＡ／Ｄ変換して、第１のディジタルサンプリングデータを出力する第１のＡ／Ｄ変換手段と、
前記複数の分割受光素子のうち所定の分割受光素子からの受光信号同士の差分信号であるプッシュプル信号が前記光ピックアップから入力され、入力プッシュプル信号に対してＡ／Ｄ変換して、第２のディジタルサンプリングデータを出力する第２のＡ／Ｄ変換手段と、
前記ユーザーデータを再生する時は前記第１のディジタルサンプリングデータを選択し、前記著作権保護データを再生する時は前記第２のディジタルサンプリングデータを選択する選択手段と、
前記選択手段から出力された前記第１又は第２のディジタルサンプリングデータを入力信号として受け、前記ユーザーデータを読み出すときは、前記第１のサンプリングデータをパーシャルレスポンス特性に等化し、前記著作権保護データを再生するときは、前記第２のディジタルサンプリングデータに対して逆拡散処理を行うトランスバーサルフィルタと、
前記ユーザーデータを読み出すときは、前記トランスバーサルフィルタの出力信号に基づいて、ＬＭＳ（最小平均自乗）法等の予め定めたアルゴリズムに従って、仮判別した目標値との誤差が最小となるように、前記トランスバーサルフィルタの係数を適応的に変更し、前記著作権保護データを再生するときは、記録時と同じＰＮ係数を前記トランスバーサルフィルタの係数とする係数制御手段と、
前記著作権保護データを再生するときは、前記トランスバーサルフィルタの出力信号のうち、前記ＰＮ係数のコード長に対応した期間内のピーク値の出現時間間隔に基づいて、同期捕捉処理を行うと共に、その同期捕捉結果に基づいて前記トランスバーサルフィルタの入力ディジタルサンプリングデータのサンプリング位相を制御して同期保持処理を行う同期捕捉・同期保持手段と、
前記トランスバーサルフィルタの出力信号に対して復号処理を行う復号手段と
を有することを特徴とする再生装置。
【請求項５】
前記同期捕捉・同期保持手段は、前記同期捕捉結果に基づいて前記Ａ／Ｄ変換手段又は前記第１及び第２のＡ／Ｄ変換手段に与えるサンプリングクロックを制御して、前記トランスバーサルフィルタに入力されるサンプリングデータの位相をロックさせる同期保持処理を行うことを特徴とする請求項１乃至４のうちいずれか一項記載の再生装置。
【請求項６】
前記Ａ／Ｄ変換手段又は前記第１及び第２のＡ／Ｄ変換手段に対して固定周波数のサンプリングクロックを供給するクロック発生手段を設けると共に、前記トランスバーサルフィルタの入力側に補間器を設け、前記同期捕捉・同期保持手段は、前記同期捕捉結果に基づいて前記トランスバーサルフィルタに入力されるサンプリングデータを補間する前記補間器のタイミング情報を制御して、前記補間器から前記トランスバーサルフィルタに入力されるサンプリングデータの位相をロックさせる同期保持処理を行うことを特徴とする請求項１乃至４のうちいずれか一項記載の再生装置。
【請求項７】
前記同期捕捉・同期保持手段から得られる前記トランスバーサルフィルタの出力信号のうち、前記ＰＮ係数のコード長に対応した期間内のピーク値と目標値とを比較し、それらのずれ量に応じて、前記係数制御手段により前記トランスバーサルフィルタに与える係数を前記ＰＮ係数に対応した係数として前記ピークレベルを前記目標値に制御する係数更新手段を更に有することを特徴とする請求項１乃至４のうちいずれか一項記載の再生装置。
【発明の詳細な説明】
【技術分野】
【０００１】
本発明は再生装置に係り、特に光ディスク等の記録媒体から再生された、ランレングス制限符号を波形等化するトランスバーサルフィルタを備え、かつ、著作権保護を目的として、ウォブルに重畳されたウォーターマーク信号を再生するための逆拡散手段を有する再生装置に関する。
【背景技術】
【０００２】
光ディスクにディジタル信号の形態で記録された情報を不正コピーから防止して、記録情報の著作権を保護するため、情報信号を暗号化して記録すると共に、その暗号化時に用いたディスク鍵をどのように媒体に埋め込むかについて、各種の方法が提案されている。その中で、ウォーターマークとして、コピー禁止や再生禁止の著作権保護に関する情報を記録し、また、スペクトラム拡散によって付加情報を拡散し、ディスク上のウォブル信号に重畳して記録するような方法が知られている（例えば、特許文献１参照）。
【０００３】
【特許文献１】特開２００４−３３５０６６号公報
【発明の開示】
【発明が解決しようとする課題】
【０００４】
しかるに、特許文献１記載の従来の再生装置では、副情報検出器によりウォブル信号から副情報（すなわち、光ディスクに関する情報、記録したコンテンツを復号化する復号鍵など）を再生するようにしているが、スペクトラム拡散して記録した信号である副情報を復号するためには、逆拡散処理を行う必要があり、逆拡散処理では、相関検出をするため、乗算器と積分器を多用するので、回路規模が増大してしまう（例えば、アナログ値を８ビット等でサンプリングし、そのサンプリング信号に対して乗算や加算を複数回行う）。このため、本来、ユーザーにとっては不必要な著作権保護情報の再生を行えるようにするため、再生装置としては、コストが高くなってしまうという問題がある。
【０００５】
本発明は上記の点に鑑みなされたもので、元々再生ＲＦ信号に対して適応等化を行うために設けられているトランスバーサルフィルタを利用して、ウォブルに重畳された著作権保護信号を復号し、もって、コスト（回路規模）を増大させずに、著作権保護を実現できる再生装置を提供することを目的とする。
【課題を解決するための手段】
【０００６】
上記の目的を達成するために、第１の発明は、ユーザーデータが記録された断面凸状又は凹状のピットを有すると共に、著作権保護データがウォーターマークとしてピットを微小に半径方向に蛇行した光記録媒体に対し、光ピックアップからレーザ光を照射し、これにより光記録媒体から反射される反射光を光電変換して得られる受光信号に基づいて、ユーザーデータ及び著作権保護データを再生する再生装置であって、光ピックアップ内の分割受光器を構成する複数の分割受光素子のそれぞれにより、反射光を光電変換して得られた受光信号をすべて加算合成した総和信号と、複数の分割受光素子のうち所定の分割受光素子からの受光信号同士を演算し、半径方向の蛇行を検出した信号とが光ピックアップから入力され、総和信号と半径方向の蛇行を検出した信号のうち、ユーザーデータを再生する時は総和信号を選択し、著作権保護データを再生する時は半径方向の蛇行を検出した信号を選択する選択手段と、選択手段から出力された信号をＡ／Ｄ変換して、ディジタルサンプリングデータを出力するＡ／Ｄ変換手段と、Ａ／Ｄ変換手段から出力されたディジタルサンプリングデータを入力信号として受け、ユーザーデータを読み出すときは、総和信号に対応したディジタルサンプリングデータをパーシャルレスポンス特性に等化し、著作権保護データを再生するときは、半径方向の蛇行を検出した信号に対応したディジタルサンプリングデータに対して逆拡散処理を行うトランスバーサルフィルタと、ユーザーデータを読み出すときは、トランスバーサルフィルタの出力信号に基づいて、ＬＭＳ（最小平均自乗）法等の予め定めたアルゴリズムに従って、仮判別した目標値との誤差が最小となるように、トランスバーサルフィルタの係数を適応的に変更し、著作権保護データを再生するときは、記録時と同じＰＮ係数をトランスバーサルフィルタの係数とする係数制御手段と、著作権保護データを再生するときは、トランスバーサルフィルタの出力信号のうち、ＰＮ係数のコード長に対応した期間内のピーク値の出現時間間隔に基づいて、同期捕捉処理を行うと共に、その同期捕捉結果に基づいてトランスバーサルフィルタの入力ディジタルサンプリングデータのサンプリング位相を制御して同期保持処理を行う同期捕捉・同期保持手段と、トランスバーサルフィルタの出力信号に対して復号処理を行う復号手段とを有することを特徴とする。
【０００７】
また、上記の目的を達成するため、第２の発明は、光ピックアップ内の分割受光器を構成する複数の分割受光素子のそれぞれにより、反射光を光電変換して得られた受光信号をすべて加算合成した総和信号が光ピックアップから入力され、入力総和信号に対してＡ／Ｄ変換して、第１のディジタルサンプリングデータを出力する第１のＡ／Ｄ変換手段と、複数の分割受光素子のうち所定の分割受光素子からの受光信号同士を演算し、光記録媒体の半径方向の蛇行を検出した信号が光ピックアップから入力され、光記録媒体の半径方向の蛇行を検出した信号に対してＡ／Ｄ変換して、第２のディジタルサンプリングデータを出力する第２のＡ／Ｄ変換手段と、ユーザーデータを再生する時は第１のディジタルサンプリングデータを選択し、著作権保護データを再生する時は第２のディジタルサンプリングデータを選択する選択手段と、選択手段から出力された第１又は第２のディジタルサンプリングデータを入力信号として受け、ユーザーデータを読み出すときは、第１のサンプリングデータをパーシャルレスポンス特性に等化し、著作権保護データを再生するときは、第２のディジタルサンプリングデータに対して逆拡散処理を行うトランスバーサルフィルタと、ユーザーデータを読み出すときは、トランスバーサルフィルタの出力信号に基づいて、ＬＭＳ（最小平均自乗）法等の予め定めたアルゴリズムに従って、仮判別した目標値との誤差が最小となるように、トランスバーサルフィルタの係数を適応的に変更し、著作権保護データを再生するときは、記録時と同じＰＮ係数をトランスバーサルフィルタの係数とする係数制御手段と、著作権保護データを再生するときは、トランスバーサルフィルタの出力信号のうち、ＰＮ係数のコード長に対応した期間内のピーク値の出現時間間隔に基づいて、同期捕捉処理を行うと共に、その同期捕捉結果に基づいてトランスバーサルフィルタの入力ディジタルサンプリングデータのサンプリング位相を制御して同期保持処理を行う同期捕捉・同期保持手段と、トランスバーサルフィルタの出力信号に対して復号処理を行う復号手段とを有することを特徴とする。
【０００８】
光記録媒体が高密度になればなるほど、エラーレートの要求は厳しくなり、近年のブルーレイディスク（ＢＤ）や青紫色レーザ光源を用いる高密度ＤＶＤ（ＨＤ  ＤＶＤ）には、ＰＲＭＬ（Partial Response Maximum Likelihood）技術が導入され、再生側において、再生ＲＦ信号に対して、トランスバーサルフィルタを用いた適応等化（パーシャルレスポンス特性を付与する波形等化）が一般的に行われるようになってきている。
【０００９】
そこで、上記の第１の発明又は第２の発明では、ユーザーデータの再生時には総和信号に対応したディジタルサンプリングデータに対してパーシャルレスポンス特性を付与して適応的に波形等化を行うためのトランスバーサルフィルタに、スペクトラム拡散されている著作権保護データの再生時には、ピットの蛇行を検出した信号に対応したディジタルサンプリングデータを入力すると共に、記録時と同じＰＮ係数をトランスバーサルフィルタの係数として与えるようにしたため、トランスバーサルフィルタを逆拡散処理を行う回路として利用することができる。
【００１０】
また、上記の目的を達成するため、第３の発明は、ユーザーデータがランレングス制限規則に従ったランレングス制限符号とされて記録された断面凸状又は凹状のトラックを有すると共に、著作権保護データがウォーターマークとして重畳されたスペクトラム拡散符号であるウォブル信号に従ってトラックの側壁が微小にトラック幅方向に蛇行された光記録媒体に対し、光ピックアップからレーザ光を照射し、これにより光記録媒体から反射される反射光を光電変換して得られる受光信号に基づいて、ユーザーデータ及び著作権保護データを再生する再生装置であって、光ピックアップ内の分割受光器を構成する複数の分割受光素子のそれぞれにより、反射光を光電変換して得られた受光信号をすべて加算合成した総和信号と、複数の分割受光素子のうち所定の分割受光素子からの受光信号同士の差分信号であるプッシュプル信号とが光ピックアップから入力され、総和信号とプッシュプル信号のうち、ユーザーデータを再生する時は総和信号を選択し、著作権保護データを再生する時はプッシュプル信号を選択する選択手段と、選択手段から出力された信号をＡ／Ｄ変換して、ディジタルサンプリングデータを出力するＡ／Ｄ変換手段と、Ａ／Ｄ変換手段から出力されたディジタルサンプリングデータを入力信号として受け、ユーザーデータを読み出すときは、総和信号に対応したディジタルサンプリングデータをパーシャルレスポンス特性に等化し、著作権保護データを再生するときは、プッシュプル信号に対応したディジタルサンプリングデータに対して逆拡散処理を行うトランスバーサルフィルタと、ユーザーデータを読み出すときは、トランスバーサルフィルタの出力信号に基づいて、ＬＭＳ（最小平均自乗）法等の予め定めたアルゴリズムに従って、仮判別した目標値との誤差が最小となるように、トランスバーサルフィルタの係数を適応的に変更し、著作権保護データを再生するときは、記録時と同じＰＮ係数をトランスバーサルフィルタの係数とする係数制御手段と、著作権保護データを再生するときは、トランスバーサルフィルタの出力信号のうち、ＰＮ係数のコード長に対応した期間内のピーク値の出現時間間隔に基づいて、同期捕捉処理を行うと共に、その同期捕捉結果に基づいてトランスバーサルフィルタの入力ディジタルサンプリングデータのサンプリング位相を制御して同期保持処理を行う同期捕捉・同期保持手段と、トランスバーサルフィルタの出力信号に対して復号処理を行う復号手段とを有することを特徴とする。
【００１１】
また、上記の目的を達成するため、第４の発明は、光ピックアップ内の分割受光器を構成する複数の分割受光素子のそれぞれにより、反射光を光電変換して得られた受光信号をすべて加算合成した総和信号が光ピックアップから入力され、入力総和信号に対してＡ／Ｄ変換して、第１のディジタルサンプリングデータを出力する第１のＡ／Ｄ変換手段と、複数の分割受光素子のうち所定の分割受光素子からの受光信号同士の差分信号であるプッシュプル信号が光ピックアップから入力され、入力プッシュプル信号に対してＡ／Ｄ変換して、第２のディジタルサンプリングデータを出力する第２のＡ／Ｄ変換手段と、ユーザーデータを再生する時は第１のディジタルサンプリングデータを選択し、著作権保護データを再生する時は第２のディジタルサンプリングデータを選択する選択手段と、選択手段から出力された第１又は第２のディジタルサンプリングデータを入力信号として受け、ユーザーデータを読み出すときは、第１のサンプリングデータをパーシャルレスポンス特性に等化し、著作権保護データを再生するときは、第２のディジタルサンプリングデータに対して逆拡散処理を行うトランスバーサルフィルタと、ユーザーデータを読み出すときは、トランスバーサルフィルタの出力信号に基づいて、ＬＭＳ（最小平均自乗）法等の予め定めたアルゴリズムに従って、仮判別した目標値との誤差が最小となるように、トランスバーサルフィルタの係数を適応的に変更し、著作権保護データを再生するときは、記録時と同じＰＮ係数をトランスバーサルフィルタの係数とする係数制御手段と、著作権保護データを再生するときは、トランスバーサルフィルタの出力信号のうち、ＰＮ係数のコード長に対応した期間内のピーク値の出現時間間隔に基づいて、同期捕捉処理を行うと共に、その同期捕捉結果に基づいてトランスバーサルフィルタの入力ディジタルサンプリングデータのサンプリング位相を制御して同期保持処理を行う同期捕捉・同期保持手段と、トランスバーサルフィルタの出力信号に対して復号処理を行う復号手段とを有することを特徴とする。
【００１２】
上記の第３の発明又は第４の発明では、ユーザーデータの再生時にはランレングス制限符号に対してパーシャルレスポンス特性を付与して適応的に波形等化を行うためのトランスバーサルフィルタに、スペクトラム拡散されている著作権保護データの再生時には、プッシュプル信号のサンプリングデータを入力すると共に、記録時と同じＰＮ係数をトランスバーサルフィルタの係数として与えるようにしたため、トランスバーサルフィルタを逆拡散処理を行う回路として利用することができる。
【００１３】
また、上記の目的を達成するため、同期捕捉・同期保持手段から得られるトランスバーサルフィルタの出力信号のうち、ＰＮ係数のコード長に対応した期間内のピーク値と目標値とを比較し、それらのずれ量に応じて、係数制御手段によりトランスバーサルフィルタに与える係数をＰＮ係数に対応した係数としてピークレベルを目標値に制御する係数更新手段を更に有することを特徴とする。
【発明の効果】
【００１４】
本発明によれば、ユーザーデータの再生時には入力サンプリングデータに対してパーシャルレスポンス特性を付与して適応的に波形等化を行うためのトランスバーサルフィルタに、著作権保護データの再生時には、ピットの蛇行又はトラックの蛇行（ウォブル）を検出した信号に対応したサンプリングデータを入力すると共に、記録時と同じＰＮ係数をトランスバーサルフィルタの係数として与えることにより、トランスバーサルフィルタを逆拡散処理を行う回路として利用するようにしたため、著作権保護データの再生のための回路のコスト（回路規模）増大を防ぐことができる。
【発明を実施するための最良の形態】
【００１５】
次に、本発明の実施の形態について図面と共に説明する。図１は本発明になる再生装置の第１の実施の形態のブロック図を示す。同図において、光ディスク１は、ディジタル信号が、例えばディスク平面上において螺旋状の断面凸状又は凹状のピットにより記録され、ディスク半径方向に微小に蛇行されている。上記の微小な蛇行は、著作権保護情報をＰＮ（擬似雑音）にてスペクトラム拡散した信号で蛇行形成されている。記録時と同じＰＮ（擬似雑音）係数を用いて逆拡散することにより、著作権保護データを再現できる。
【００１６】
かかる光ディスク１に対して、公知の構成の光ヘッド（ＰＤ）及びヘッドアンプ２のうちの光ヘッド（光ピックアップ）からグルーブトラックのトラック中心線に光スポットの中心が一致するように光ビームを照射すると共に、光スポットの一部はランドにも照射される。
【００１７】
グルーブトラックからの反射光は、上記光ヘッド内の４分割受光器（図示せず）の各分割受光素子で受光されて光電変換され、それらの受光信号が加算合成されて総和（ＳＵＭ）信号とされると共に、ランドに照射された光スポットの一部の反射光が光ヘッド内のトラック接線方向に分割された２分割受光器の（図示せず）各分割受光素子で受光されて光電変換された後、それらの受光信号の差分信号であるプッシュプル（ＰＰ）信号とされる。総和（ＳＵＭ）信号を用いてグルーブトラックへの記録情報（ユーザーデータ）であるランレングス制限符号が再生され、プッシュプル（ＰＰ）信号を用いて、著作権保護情報を有するウォーターマーク信号が再生される。
【００１８】
従って、公知の構成の光ヘッド（ＰＤ）及びヘッドアンプ２により再生及び前置増幅されたユーザーデータであるランレングス制限符号は、総和（ＳＵＭ）信号として出力され、ウォーターマーク信号は、プッシュプル（ＰＰ）信号として出力される。スイッチ（ＳＷ）回路３は、記録情報再生モードを示すモード信号入力時は総和（ＳＵＭ）信号を選択し、著作権保護情報再生モードを示すモード信号入力時はプッシュプル（ＰＰ）信号を選択するように制御される。
【００１９】
まず、記録情報再生モードの動作について説明する。記録情報再生モードではＳＷ回路３により総和（ＳＵＭ）信号が選択され、かつ、ＳＷ回路１４により等化エラー抽出・係数更新回路１２からの等化エラーが選択される。ＳＷ回路３により選択された総和（ＳＵＭ）信号は、直流阻止回路４で直流成分が阻止された後、Ａ／Ｄ変換器５に供給されて後述のサンプリングクロックでサンプリングされてディジタル信号とされる。Ａ／Ｄ変換器５から出力された再生ディジタル信号は、トランスバーサルフィルタ６に供給される一方、ＰＬＬエラー検出器９に供給されて、そのサンプリング点の位相に基づいてＰＬＬ（Phase Locked Loop）位相エラーが抽出された後ＳＷ回路１０に入力される。
【００２０】
ＳＷ回路１０は記録情報再生モードを示すモード信号入力時はＰＬＬ位相エラーを選択し、著作権保護情報再生モードを示すモード信号入力時は後述する同期捕捉同期保持回路１５からの同期位相エラーを選択する。ここでは、記録情報再生モードであるので、上記のＳＷ回路１０はＰＬＬ位相エラーを選択して電圧制御発振器（ＶＣＯ）１１に制御電圧として入力される。これにより、ＶＣＯ１１はＳＷ回路１０が出力するＰＬＬ位相エラーが最小となるように周波数が可変制御されるクロックを発生してＡ／Ｄ変換器５にサンプリングクロックとして入力する。
【００２１】
Ａ／Ｄ変換器５の出力再生ディジタル信号はトランスバーサルフィルタ６にも入力される。トランスバーサルフィルタ６は、入力再生ディジタル信号に対して所定のパーシャルレスポンス特性による波形等化を行い、得られた波形等化後信号を復号回路７、等化エラー抽出・係数更新回路１２、同期捕捉同期保持回路１５にそれぞれ入力する。等化エラー抽出・係数更新回路１２は、Ａ／Ｄ変換器５の出力ディジタル信号と、トランスバーサルフィルタ６の出力波形等化後信号とを入力とし、仮判別した目標値との誤差（等化エラー）を抽出し、それが最小となるようなトランスバーサルフィルタ係数を生成し、これをＳＷ回路１４を介してトランスバーサルフィルタ６に供給して更新する。この動作は公知のＬＭＳ（最小平均自乗）法等による。
【００２２】
また、復号回路７はトランスバーサルフィルタ６から入力された波形等化後信号に対して、公知のビタビ復号等を施してＥＣＣ回路８に入力し、これにより再生されたユーザーデータを出力させる。
【００２３】
次に、著作権保護情報の再生時の動作について説明する。著作権保護情報再生モードではＳＷ回路３によりプッシュプル（ＰＰ）信号が選択され、かつ、ＳＷ回路１４によりＰＮ係数発生回路１３からのＰＮ係数が選択される。ＳＷ回路３により選択されたプッシュプル（ＰＰ）信号は、直流阻止回路４で直流成分が阻止された後、Ａ／Ｄ変換器５に供給されてサンプリングクロックによりサンプリングされる。Ａ／Ｄ変換器５から出力されたサンプリングされたＰＰ信号は、トランスバーサルフィルタ６に供給される。著作権保護情報再生モードでは、トランスバーサルフィルタ６は、ＰＮ係数発生回路１３で発生された擬似雑音（ＰＮ）のＰＮ係数が、ＳＷ回路１４により選択されてフィルタ係数として入力され、このフィルタ係数に従って入力ＰＰ信号に対して逆拡散処理して出力する。
【００２４】
トランスバーサルフィルタ６から逆拡散処理されて出力されたＰＰ信号は、同期捕捉・同期保持回路１５に入力され、ここで同期位相エラーが抽出されてＳＷ回路１０を介してＶＣＯ１１に制御電圧として入力される。ＶＣＯ１１はこの同期位相エラーに応じた周波数のクロックを発生し、Ａ／Ｄ変換器５へサンプリングクロックとして入力する。トランスバーサルフィルタ６の出力信号は、復号回路１６に入力され、復号されることにより、著作権保護情報が取り出される。
【００２５】
このように、本実施の形態では、記録情報再生モードでは通常の再生ＲＦ信号に対してパーシャルレスポンス波形等化処理を行うためのトランスバーサルフィルタ６を利用して、著作権保護情報再生モードでは、プッシュプル信号をサンプリングした信号をトランスバーサルフィルタ６に入力し、係数としてＰＮコードをセットし、逆拡散を行ってスペクトラム拡散されたウォブル信号（著作権保護情報を有するウォーターマーク信号）を復調するようにしたため、著作権保護のためのコスト（回路規模）増大を防止することができる。
【００２６】
次に、図１の同期捕捉同期保持回路１５による同期捕捉処理につき、図３のタイミングチャートを用いて説明する。図１、図２のトランスバーサルフィルタ６の出力信号は、図３（Ａ）に示され、ＰＮコードとマッチングしたタイミングで相関がとれると、大きなレベルの出力が得られる。そこで、同期捕捉同期保持回路１５内の同期捕捉部は、トランスバーサルフィルタ６からの入力信号のＰＮコード長（拡散コード長）に相当する周期で最大値を検出する。
【００２７】
そのため、上記同期捕捉部は、ＰＮコード長に相当する周期を計測するためのＰＮカウンタと、ＰＮコード長に相当する周期内におけるトランスバーサルフィルタ６からの入力信号のピークレベル（最大値）を検出する検出手段と、上記の最大値に対応するＰＮカウンタ値を取得するカウンタ値取得手段と、前回の最大値のＰＮカウント値と等しいかどうかで同期捕捉の判断をして同期ステータス及びイネーブル信号を発生する信号発生手段とを有し、トランスバーサルフィルタ６からの入力信号のピークレベルを、図３（Ｂ）に示すようにＰＮコード長に相当する周期毎に検出すると共に、ＰＮコード長に相当する周期内で最小値から一定周期のクロックを計数してカウントアップするＰＮカウンタの、図３（Ｃ）に示すように変化するＰＮカウンタ値のうち、上記のＰＮコード長に相当する周期内でのピークレベル（最大値）に対応するＰＮカウンタ値を更新する。
【００２８】
図３の例では、上記の最大値に対応するＰＮカウンタ値は、図３（Ｄ）に模式的に示すように、Ｋ０、Ｋ１、Ｋ２、Ｋ３、Ｋ４と変化していく。そして、上記同期捕捉部は、例えば、図３中のＫｎ＝Ｋｎ−１が連続ｍ回発生したとき、同期状態と判断して図３（Ｅ）に示すように同期ステータスをハイレベルとし、ＰＮカウント値Ｋｎ毎に図３（Ｆ）に示すようにイネーブル信号を出力する。そのタイミングでトランスバーサルフィルタ６の出力信号を有効データとするため、イネーブル信号を復号回路１６に供給する。
【００２９】
図４は同期捕捉の状態遷移を示す。前回の最大値に対応するＰＮカウンタ値Ｋｎ−１と今回の最大値に対応するＰＮカウンタ値Ｋｎとが連続ｍ回発生したとき、同期状態として、図４に示す状態Ｓ０から状態Ｓ１に遷移し、同期ステータス信号をハイレベルとする。一方、状態Ｓ１で、Ｋｎ≠Ｋｎ−１が連続ｎ回発生したとき、図４に示すように状態Ｓ１から状態Ｓ０に遷移し、同期ステータス信号をローレベルとして、再度、捕捉動作に入る。
【００３０】
次に、同期捕捉同期保持回路１５の同期保持処理につき図５を用いて説明する。図５は同期捕捉同期保持回路１５の同期保持部の一例のブロック図を示す。同図において、トランスバーサルフィルタ６の出力信号は、２段縦続接続されたラッチ回路１５１及び１５２により、前記ＰＮコード長に相当する周期Ｔの２倍の周期遅延されて減算器１５３に供給される。減算器１５３は、トランスバーサルフィルタ６の出力信号からラッチ回路１５２の出力遅延信号を減算し、その減算信号をスイッチ（ＳＷ）回路１５４へ出力する。
【００３１】
ＳＷ回路１５４は、前記同期捕捉部から図３（Ｆ）に示したイネーブル信号が供給されており、ハイレベルのイネーブル信号が入力される期間は減算器１５３から出力された減算信号を選択し、それ以外の期間では減算器１５３からの信号を遮断する（マスクする）。従って、トランスバーサルフィルタ６の出力信号が図６に実線Iで示すように変化し、そのサンプリング点Ｄｎでハイレベルのイネーブル信号が入力される場合は、図５のラッチ回路１５２の出力信号（図６にＤn+1で示す）からラッチ回路１５１に入力される信号（図６にＤn-1で示す）を差し引いた（Ｄn+1−Ｄn-1）の演算結果が、ＳＷ回路１５４により選択されてスイッチ回路１５６の端子ａに供給される。
【００３２】
このスイッチ回路１５６は、同期捕捉のときは基準値発生器１５５から出力されて端子ｂに入力される基準値を選択し、同期保持の場合は、ＳＷ回路１５４から出力されて端子ａに入力される演算結果を選択する。ＳＷ回路１５６により選択された信号は、同期位相エラー信号として図１のＳＷ回路１０、あるいは図２のＳＷ回路２０へ供給される。
【００３３】
図７は上記の同期位相エラー信号の一例を示す。この同期位相エラー信号に応じて、図１のＶＣＯ１１の出力信号周波数、もしくは図２のタイミング発生器２１の出力タイミング信号の出力タイミングの制御を行い、図７にIIで示す位相ロック点に収束するようにする。
【００３４】
次に、本発明になる再生装置の第２の実施の形態について説明する。図２は本発明になる再生装置の第２の実施の形態のブロック図を示す。同図中、図１と同一構成部分には同一符号を付し、その説明を省略する。図２において、Ａ／Ｄ変換器５にはＶＣＯ１１からのクロックの替わりに、クロック発生器１７からのモードに応じた固定周波数のサンプリングクロックが供給される。
【００３５】
Ａ／Ｄ変換器５によりサンプリングされて出力された信号は補間器１８に供給されて、隣り合う２つのサンプリング点毎に補間処理により新たなサンプリング点とされた後、トランスバーサルフィルタ６及びＰＬＬエラー検出器１９に供給される。ＳＷ回路２０は記録情報再生モードを示すモード信号入力時はＰＬＬエラー検出器１９から出力されたＰＬＬ位相エラーを選択し、著作権保護情報再生モードを示すモード信号入力時は同期捕捉同期保持回路１５からの同期位相エラーを選択する。
【００３６】
ＳＷ回路２０の出力信号は、タイミング発生器２１に供給され、タイミング信号が補間器１８に供給される。補間器１８は、Ａ／Ｄ変換器５の出力信号のサンプリング点を上記のタイミング信号に基づいて補間し、リサンプリングデータを生成して、後段のトランスバーサルフィルタ６及びＰＬＬエラー検出１９、等化エラー抽出・係数更新回路１２に出力する。本実施の形態も、ＶＣＯ１１を用いた第１の実施の形態と同様の効果が得られる。
【００３７】
次に、本発明の第３の実施の形態について説明する。図８は本発明になる再生装置の第３の実施の形態のブロック図を示す。同図中、図１と同一構成部分には同一符号を付し、その説明を省略する。本実施の形態は、図８に示すように、ＰＮ係数発生回路１３とＳＷ回路１４との間に係数更新ブロック２４が挿入され、この係数更新ブロック２４に対して同期捕捉同期保持回路２３からピークレベルの値を供給する点に特徴があり、ピークレベルとトランスバーサルフィルタ６の係数を利用したピークレベル制御を行う。
【００３８】
図９は係数更新ブロック２４の一実施の形態のブロック図を示す。同図において、係数更新ブロック２４は、同期捕捉同期保持回路２３からのピークレベルと目標値発生器２４２からの目標値とを加算する加算器２４１と、加算器２４１の出力信号の低域周波数成分を濾波する低域フィルタ（ＬＰＦ）２４３と、ＬＰＦ２４３の出力信号と１発生器２４５からの論理１の信号とを加算する加算器２４４と、加算器２４４の出力信号と係数発生回路１３からのＰＮ係数とを乗算して出力する乗算器２４６とよりなる。
【００３９】
なお、上記の加算器２４１は、ピークレベルの値を逆極性にして目標値と加算するので、目標値とピークレベルとの差を示す値の信号を出力する。また、乗算器２４６の出力信号は図８のＳＷ回路１４へ出力される。
【００４０】
ここで、図１０（Ａ）に示すトランスバーサルフィルタ６の出力信号のピークレベルを一定に制御する場合には、同図（Ａ）に一点鎖線IIIで示す目標値とのずれを検出する必要があるが、それ以前に、正しいピークレベルのみによってフィードバックをかけなければならない。そこで、図１０（Ｅ）に示す同期ステータスがハイレベルの期間で、かつ、同図（Ｆ）に示すイネーブル信号がハイレベルである時の、トランスバーサルフィルタ６の出力信号のピークレベルの値についてのみ、目標値IIIとの差を係数更新ブロック２４で抽出し、ネガティブフィードバックになるようにトランスバーサルフィルタ６の係数を制御する。このようにして、トランスバーサルフィルタ６の出力信号のピークレベルを一定に制御する。なお、このトランスバーサルフィルタ６の出力信号のピークレベルを一定に制御するための係数制御は、同期捕捉が完了していることを条件とする。
【００４１】
本実施の形態においても、同期捕捉同期保持回路２３では、ＰＮコード長に相当する周期内におけるトランスバーサルフィルタ６からの入力信号のピークレベル（最大値）を、図１０（Ｂ）に示すようにＰＮコード長に相当する周期毎に検出すると共に、ＰＮコード長に相当する周期内で最小値から一定周期のクロックを計数してカウントアップするＰＮカウンタの、図１０（Ｃ）に示すように変化するＰＮカウンタ値のうち、上記のＰＮコード長に相当する周期内でのピークレベル（最大値）に対応するＰＮカウンタ値を更新する。
【００４２】
図１０の例では、上記の最大値に対応するＰＮカウンタ値は、図１０（Ｄ）に模式的に示すように、Ｋ０、Ｋ１、Ｋ２、Ｋ３、Ｋ４と変化していく。そして、上記同期捕捉同期保持回路２３は、例えば、前回の最大値のＰＮカウンタ値±αの範囲に今回の最大値のＰＮカウンタ値がある状態が、連続ｍ回発生したとき、同期状態と判断して図１０（Ｅ）に示すように同期ステータスをハイレベルとし、ＰＮカウント値Ｋｎ毎に図１０（Ｆ）に示すようにイネーブル信号を出力する。そのタイミングでトランスバーサルフィルタ６の出力信号を有効データとするため、イネーブル信号を復号回路１６に供給する。復号回路１６はスペクトラム拡散されたウォーターマーク信号を復号して著作権情報を得る。
【００４３】
次に、本発明の第４の実施の形態について説明する。図１１は本発明になる再生装置の第４の実施の形態のブロック図を示す。同図中、図２及び図１０と同一構成部分には同一符号を付し、その説明を省略する。本実施の形態は、図２の第２の実施の形態に、図１０と同様の係数更新ブロック２４を設けたものである。本実施の形態も図１０と同様の特長を有する。
【００４４】
次に、本発明の第５の実施の形態について説明する。図１２は本発明になる再生装置の第５の実施の形態のブロック図を示す。同図中、図１と同一構成部分には同一符号を付し、その説明を省略する。図１２において、光ディスク１の記録信号とウォブルは、公知の構成の光ヘッド（ＰＤ）及びヘッドアンプ２により再生及び前置増幅された後、ユーザーデータに対しては、総和（ＳＵＭ）信号として出力され、ウォーターマーク信号に対しては、プッシュプル（ＰＰ）信号として出力される。
【００４５】
総和（ＳＵＭ）信号は、直流阻止回路３１に供給されて直流成分が阻止された後、Ａ／Ｄ変換器３３でＶＣＯ１１の出力信号によりサンプリングされ、ＳＷ回路３５に供給される。一方、プッシュプル（ＰＰ）信号は、直流阻止回路３２に供給されて直流成分が阻止された後、Ａ／Ｄ変換器３４でＶＣＯ１１の出力信号によりサンプリングされ、ＳＷ回路３５に供給される。
【００４６】
ＳＷ回路３５は記録情報再生モードを示すモード信号入力時は、Ａ／Ｄ変換器３３からサンプリングされて出力された総和信号を選択し、著作権保護情報再生モードを示すモード信号入力時は、Ａ／Ｄ変換器３４から出力されたプッシュプル信号を選択して、トランスバーサルフィルタ６、ＰＬＬエラー検出器９、等化エラー抽出・係数更新回路１２にそれぞれ供給され、以後は第１の実施の形態と同様の動作が行われる。
【００４７】
次に、本発明の第６の実施の形態について説明する。図１３は本発明になる再生装置の第６の実施の形態のブロック図を示す。同図中、図２及び図１２と同一構成部分には同一符号を付し、その説明を省略する。この実施の形態は、図２に示した第２の実施の形態のＳＷ回路３、直流阻止回路４及びＡ／Ｄ変換器５からなる回路部を、図１２と同様に、直流阻止回路３１及び３２、Ａ／Ｄ変換器３３及び３４、ＳＷ回路３５からなる構成に変更した点に特徴があり、総和信号とプッシュプル信号に対して別々に直流成分の阻止、クロック発生器１７からの固定周波数のクロックによるサンプリングを行うようにしたものであり、第２の実施の形態と同様の特長を有する。
【００４８】
次に、本発明の第７の実施の形態について説明する。図１４は本発明になる再生装置の第７の実施の形態のブロック図を示す。同図中、図８及び図１２と同一構成部分には同一符号を付し、その説明を省略する。この実施の形態は、図８に示した第３の実施の形態のＳＷ回路３、直流阻止回路４及びＡ／Ｄ変換器５からなる回路部を、図１２と同様に、直流阻止回路３１及び３２、Ａ／Ｄ変換器３３及び３４、ＳＷ回路３５からなる構成に変更した点に特徴があり、総和信号とプッシュプル信号に対して別々に直流成分の阻止、ＶＣＯ１１からのクロックによるサンプリングを行うようにしたものであり、第３の実施の形態と同様の特長を有する。
【００４９】
次に、本発明の第８の実施の形態について説明する。図１５は本発明になる再生装置の第８の実施の形態のブロック図を示す。同図中、図１１及び図１２と同一構成部分には同一符号を付し、その説明を省略する。この実施の形態は、図１１に示した第４の実施の形態のＳＷ回路３、直流阻止回路４及びＡ／Ｄ変換器５からなる回路部を、図１２と同様に、直流阻止回路３１及び３２、Ａ／Ｄ変換器３３及び３４、ＳＷ回路３５からなる構成に変更した点に特徴があり、総和信号とプッシュプル信号に対して別々に直流成分の阻止、クロック発生器１７からの固定周波数のクロックによるサンプリングを行うようにしたものであり、第４の実施の形態と同様の特長を有する。
【００５０】
なお、本発明は以上の実施の形態に限定されるものではなく、例えば、プッシュプル信号を生成する方法は、従来より種々知られており、例えば４分割受光器のトラック接線方向を境に一方の側にある２つの受光素子からの受光信号の加算信号と、他方の側にある２つの受光素子からの受光信号の加算信号との差信号をプッシュプル信号とするなど、トラッキング誤差信号を検出できる方式であればなんでもよい。また、前記特許文献１に記載の公知の位相差法を用いたトラッキング誤差信号及びウォブリング信号検出方法を適用することもできる。
【００５１】
また、本発明は、ディスク平面上において螺旋状の断面凸状又は凹状の溝であるグルーブトラックとランドとがディスク半径方向に交互に形成され、そのうちのグルーブトラックにランレングス制限符号の形態でユーザーデータが記録され、また、グルーブトラックの側壁が、著作権保護情報をＰＮにてスペクトラム拡散した信号でウォーターマークとしてトラックの長手方向に対して直交する方向（トラック幅方向）に微小に蛇行されている光ディスクに対しても同様に適用できる。
【図面の簡単な説明】
【００５２】
【図１】本発明装置の第１の実施の形態のブロック図である。
【図２】本発明装置の第２の実施の形態のブロック図である。
【図３】図１の同期捕捉の動作の一例を示すタイミングチャートである。
【図４】同期捕捉の状態遷移を示す図である。
【図５】図１中の同期捕捉同期保持回路内の同期保持部の一実施の形態のブロック図である。
【図６】図５の回路の要部の動作の一例を示す波形図である。
【図７】図５の回路の出力同期位相エラー信号の一例を示す波形図である。
【図８】本発明装置の第３の実施の形態のブロック図である。
【図９】図８中の係数更新ブロックの一例のブロック図である。
【図１０】図８のピークレベル制御動作の一例を示すタイミングチャートである。
【図１１】本発明装置の第４の実施の形態のブロック図である。
【図１２】本発明装置の第５の実施の形態のブロック図である。
【図１３】本発明装置の第６の実施の形態のブロック図である。
【図１４】本発明装置の第７の実施の形態のブロック図である。
【図１５】本発明装置の第８の実施の形態のブロック図である。
【符号の説明】
【００５３】
１  光ディスク
２  ＰＤ・ヘッドアンプ
３、１０、１４、２０、３５、１５４、１５６  スイッチ（ＳＷ）回路
４、３１、３２  直流阻止回路
５、３３、３４  Ａ／Ｄ変換器
６  トランスバーサルフィルタ
７、１６  復号回路
８  ＥＣＣ回路
９、１９  ＰＬＬエラー検出器
１１  電圧制御発振器（ＶＣＯ）
１２  等化エラー抽出・係数更新回路
１３  ＰＮ係数発生回路
１５、２３  同期捕捉・同期保持回路
１７  クロック発生器
１８  補間器
２１  タイミング発生器
１５１、１５２  ラッチ回路
１５３  加算器
１５５  基準値発生器
【図１】
2006318517.tif 000003
【図２】
2006318517.tif 000004
【図３】
2006318517.tif 000005
【図４】
2006318517.tif 000006
【図５】
2006318517.tif 000007
【図６】
2006318517.tif 000008
【図７】
2006318517.tif 000009
【図８】
2006318517.tif 000010
【図９】
2006318517.tif 000011
【図１０】
2006318517.tif 000012
【図１１】
2006318517.tif 000013
【図１２】
2006318517.tif 000014
【図１３】
2006318517.tif 000015
【図１４】
2006318517.tif 000016
【図１５】
2006318517.tif 000017